(57)【特許請求の範囲】
【請求項１】
壁面に固定される衛生設備機器であって、
外部に露出するボウル部と、当該ボウル部の下方に位置するユニット収容部と、当該ユニット収容部の側方を覆う側壁部と、を有する衛生設備機器本体と、
前記ボウル部内に洗浄水を吐水する吐水部と、
給水管接続部から前記吐水部に至る給水経路と、
前記給水経路の途中に設けられ、前記吐水部への洗浄水の供給及び供給停止のために作動するバルブユニットと、
前記バルブユニットの作動を制御する制御ユニットと、
前記ユニット収容部の底面の一部を規定すると共に、前記衛生設備機器本体に固定された固定トレイ部と、
前記ユニット収容部の底面の一部を規定すると共に、前記衛生設備機器本体及び／または前記固定トレイ部に、下向きに回動することで開放可能且つ上向きに戻すことで閉鎖可能に取り付けられた開閉トレイ部と、
を備え、
前記バルブユニット及び前記制御ユニットの少なくとも一方が、前記開閉トレイ部上に取り付けられている
ことを特徴とする衛生設備機器。
【請求項２】
前記開閉トレイ部は、前記固定トレイ部に回動可能に取り付けられており、
前記開閉トレイ部が回動可能に取り付けられた前記固定トレイ部が、前記衛生設備機器本体の前記側壁部に固定されている
ことを特徴とする請求項１に記載の衛生設備機器。
【請求項３】
前記バルブユニットが、前記開閉トレイ部上に取り付けられ、
前記制御ユニットは、前記固定トレイ部上に取り付けられている
ことを特徴とする請求項１または２に記載の衛生設備機器。
【請求項４】
前記制御ユニットは、前記開閉トレイ部とは別体であって、前記固定トレイ部に対して着脱可能に固定されている
ことを特徴とする請求項３に記載の衛生設備機器。
【請求項５】
前記制御ユニットは、前記固定トレイ部から下方に引き抜かれることで当該固定トレイ部から取り外し可能となっており、
前記制御ユニットには、当該制御ユニットが前記固定トレイ部から下方に引き抜かれる途中の途中状態を保持可能な保持手段が設けられている
ことを特徴とする請求項４に記載の衛生設備機器。
【請求項６】
前記固定トレイ部には、前記制御ユニットを覆って当該制御ユニットの被水を防止する被水防止カバーが設けられている
ことを特徴とする請求項４または５に記載の衛生設備機器。
【請求項７】
前記給水経路は、
前記給水管接続部から前記バルブユニットまでの一次側経路と、
前記バルブユニットから前記吐水部までの二次側経路と、
を有しており、
前記バルブユニットと前記一次側経路との接続部、及び／または、前記バルブユニットと前記二次側経路との接続部に、自在継手が設けられている
ことを特徴とする請求項１乃至６のいずれかに記載の衛生設備機器。
【請求項８】
前記固定トレイ部及び／または前記開閉トレイ部の底面の高さは、前記衛生設備機器本体の底面の高さと比較して、同じであるかより高くなっている
ことを特徴とする請求項１乃至７のいずれかに記載の衛生設備機器。
【請求項９】
前記固定トレイ部と前記開閉トレイ部との間に、スリットが設けられている
ことを特徴とする請求項１乃至８のいずれかに記載の衛生設備機器。
【請求項１０】
前記固定トレイ部及び／または前記開閉トレイ部において、スリットが設けられていることを特徴とする請求項１乃至９のいずれかに記載の衛生設備機器。
【請求項１１】
前記固定トレイ部及び／または前記開閉トレイ部の外周縁部には、上方に向けて突出する堰部が設けられている
ことを特徴とする請求項１乃至１０のいずれかに記載の衛生設備機器。
【発明の詳細な説明】
【技術分野】
【０００１】
本発明は、壁面に固定される壁掛け式衛生設備機器であって、外部に露出するボウル部と、当該ボウル部内に洗浄水を吐水する吐水部と、を有する衛生設備機器に関する。
【背景技術】
【０００２】
壁面に固定される壁掛け式衛生設備機器であって、外部に露出するボウル部と、当該ボウル部内に洗浄水を吐水する吐水部と、を有する衛生設備機器は、従来からよく使用されている。代表的なものは、男性用の水洗式小便器である。
【０００３】
このような衛生設備機器において、吐水部への洗浄水の供給及び供給停止のために作動するバルブユニットや当該バルブユニットの作動を制御する制御ユニット等は、従来はボウル部の下方に設けられていなかった。特に、制御ユニットは、一般に水濡れに対する保護が必要であるところ、洗浄水が供給されるボウル部より下方に設けられていると、洗浄水が何らかの理由で制御ユニットの水濡れを引き起こす懸念があったためである。
【０００４】
一方、特許文献１は、ボウル部の下方に制御ユニット等を配置した構成を示している。この構成では、制御ユニットの水濡れを防止すべく、ボウル部の下方において制御ユニット等を収容するユニット収容部が閉塞空間となっていて、ユニット収容部のメンテナンス作業等が容易にはできない。
【先行技術文献】
【特許文献】
【０００５】
【特許文献１】ＵＳ２０１５／０２９９９６Ａ１
【発明の概要】
【発明が解決しようとする課題】
【０００６】
前述の通り、特許文献１の構成では、ユニット収容部が閉塞空間となっているため、制御ユニット等のメンテナンス作業を行ない難い。しかしながら、ユニット収容部へのアクセスのためにユニット収容部の上方部等に開口を設ければ、制御ユニットの水濡れを引き起こす可能性が生じてしまう。
【０００７】
本件発明者は、以上のような問題点を克服すべく、鋭意検討を重ねる中で、下向きに回動することで開放可能且つ上向きに戻すことで閉鎖可能な開閉機構を採用すれば、ユニット収容部内へのアクセスが容易となる一方、制御ユニットの水濡れを引き起こす可能性も低く維持できることを知見した。
【０００８】
本発明は、以上のような背景に基づいて創案されたものである。本発明の目的は、ユニット収容部内へのアクセスが容易である一方、制御ユニット等の水濡れを引き起こす可能性が低い壁掛け式の衛生設備機器を提供することである。
【課題を解決するための手段】
【０００９】
本発明は、壁面に固定される衛生設備機器であって、外部に露出するボウル部と、当該ボウル部の下方に位置するユニット収容部と、当該ユニット収容部の側方を覆う側壁部と、を有する衛生設備機器本体と、前記ボウル部内に洗浄水を吐水する吐水部と、給水管接続部から前記吐水部に至る給水経路と、前記給水経路の途中に設けられ、前記吐水部への洗浄水の供給及び供給停止のために作動するバルブユニットと、前記バルブユニットの作動を制御する制御ユニットと、前記ユニット収容部の底面の一部を規定すると共に、前記衛生設備機器本体に固定された固定トレイ部と、前記ユニット収容部の底面の一部を規定すると共に、前記衛生設備機器本体及び／または前記固定トレイ部に、下向きに回動することで開放可能且つ上向きに戻すことで閉鎖可能に取り付けられた開閉トレイ部と、を備え、前記バルブユニット及び前記制御ユニットの少なくとも一方が、前記開閉トレイ部上に取り付けられていることを特徴とする衛生設備機器である。
【００１０】
本発明によれば、開閉トレイ部が、下向きに回動することで開放可能且つ上向きに戻すことで閉鎖可能に取り付けられていることにより、ユニット収容部内へのアクセスが容易であり、且つ、制御ユニットの水濡れを引き起こす可能性も低い。
【００１１】
好ましくは、前記開閉トレイ部は、前記固定トレイ部に回動可能に取り付けられており、前記開閉トレイ部が回動可能に取り付けられた前記固定トレイ部が、前記衛生設備機器本体の前記側壁部に固定されている。このような態様では、固定トレイ部と開閉トレイ部とを一体的に取り扱うことができるため、製造、取付、修理、交換等の各種作業が容易である。
【００１２】
また、好ましくは、前記バルブユニットが、前記開閉トレイ部上に取り付けられ、前記制御ユニットは、前記固定トレイ部上に取り付けられている。一般に、バルブユニットはメンテナンス頻度が比較的高いため、開放時にアクセス容易となる開閉トレイ部上に当該バルブユニットを設けておくことが便利である一方、制御ユニットはメンテナンス頻度が低く水濡れリスクを回避する必要性も高いため、開放しない固定トレイ部上に当該制御ユニットを設けておくことが有利である。
【００１３】
また、好ましくは、前記制御ユニットは、前記開閉トレイ部とは別体であって、前記固定トレイ部に対して着脱可能に固定されている。制御ユニットが固定トレイ部に対して着脱可能であることにより、制御ユニットのメンテナンス作業を容易に行うことができる。また、制御ユニットが開閉トレイ部とは別体であることにより、開閉トレイの開閉動作に伴う制御ユニットの水漏れリスクを回避することができる。
【００１４】
この場合、前記制御ユニットは、前記固定トレイ部から下方に引き抜かれることで当該固定トレイ部から取り外し可能となっており、前記制御ユニットには、当該制御ユニットが前記固定トレイ部から下方に引き抜かれる途中の途中状態を保持可能な保持手段が設けられていることが更に好ましい。このような保持手段によって、制御ユニットが固定トレイ部から一気に取り外されることが抑制される。これにより、制御ユニットが取り外される際の勢いで制御ユニットに接続されているハーネスが断線してしまうことを回避することができる。なお、制御ユニットの下方部に設けられたＤＩＰＳＷ（ディップスイッチ）を操作するような作業は、制御ユニットを固定トレイ部から完全に取り外すことなく、保持手段によって保持された引き抜かれる途中の途中状態において行うことも可能である。
【００１５】
また、前記固定トレイ部には、前記制御ユニットを覆って当該制御ユニットの被水を防止する被水防止カバーが設けられていることが好ましい。この場合、制御ユニットの水漏れリスクを効果的に回避することができる。
【００１６】
また、好ましくは、前記給水経路は、前記給水管接続部から前記バルブユニットまでの一次側経路と、前記バルブユニットから前記吐水部までの二次側経路と、を有しており、前記バルブユニットと前記一次側経路との接続部、及び／または、前記バルブユニットと前記二次側経路との接続部に、自在継手が設けられている。この場合、開閉トレイの回動動作にも拘わらず、給水経路の一次側経路及び／または二次側経路においてキンク（ねじれ）が発生することを回避できる。
【００１７】
また、好ましくは、前記固定トレイ部及び／または前記開閉トレイ部の底面の高さは、前記衛生設備機器本体の底面の高さと比較して、同じであるかより高くなっている。この場合、ボウル部の溢れ水等が衛生設備機器本体を伝ってきた際において、当該溢れ水等が各トレイ部の内部に浸入することが効果的に抑制される。また、施工時等に当該衛生設備機器を床面等に置いた際において、各トレイ部に不所望の負荷がかかって破損してしまうこと等を防ぐこともできる。
【００１８】
また、好ましくは、前記固定トレイ部及び／または前記開閉トレイ部の外周縁部には、上方に向けて突出する堰部が設けられている。この場合も、ボウル部の溢れ水等が衛生設備機器本体を伝ってきた際において、当該溢れ水等が各トレイ部の内部に浸入することが効果的に抑制される。
【００１９】
また、好ましくは、前記固定トレイ部と前記開閉トレイ部との間に、スリットが設けられる。更に、前記固定トレイ部及び／または前記開閉トレイ部に、スリットが設けられ得る。これらの場合、各トレイ部の内部（ないし上部）にもし水が浸入してしまった場合であっても、当該水はスリットを介して排出され得て、各トレイ部の内部（ないし上部）に溜まってしまうことが抑制される。
【発明の効果】
【００２０】
本発明によれば、開閉トレイ部が、下向きに回動することで開放可能且つ上向きに戻すことで閉鎖可能に取り付けられていることにより、ユニット収容部内へのアクセスが容易であり、且つ、制御ユニットの水濡れを引き起こす可能性も低い。
【図面の簡単な説明】
【００２１】
【図１】本発明の一実施形態による水洗式小便器の斜視図である。
【図２】図１の水洗式小便器の前面側壁を一部切り欠いて示した正面図である。
【図３】図２のIII−III線拡大断面図である。
【図４】図１の水洗式小便器の側面側壁を一部切り欠いて示した斜視図である。
【図５】開閉トレイ部が開放状態にある時の図４に対応する斜視図である。
【図６】図１乃至図５の水洗式小便器の内部の斜視図である。
【図７】制御ユニットが固定トレイ部から下方に引き抜かれる途中の途中状態にある時の図６に略対応する斜視図である。
【図８】制御ユニット及び固定トレイ部の拡大断面図である。
【発明を実施するための形態】
【００２２】
次に、添付図面を参照して、本発明の一実施形態による水洗式小便器を説明する。当該水洗式小便器１は、壁面に固定される壁掛け式衛生設備機器であって、外部に露出するボウル部と、当該ボウル部内に洗浄水を吐水する吐水部と、を有する衛生設備機器の一例である。本発明が水洗式小便器１に限定されないことは、言うまでもない。
【００２３】
図１は、本発明の一実施形態による水洗式小便器の斜視図であり、図２は、図１の水洗式小便器の前面側壁を一部切り欠いて示した正面図であり、図３は、図２のIII−III線拡大断面図であり、図４は、図１の水洗式小便器の側面側壁を一部切り欠いて示した斜視図であり、図５は、開閉トレイ部が開放状態にある時の図４に対応する斜視図である。
【００２４】
図１乃至図５に示すように、本実施形態の水洗式大便器１は、外部に露出するボウル部１１と、当該ボウル部１１の下方に位置するユニット収容部１２と、ユニット収容部１２の側方を覆う側壁部１３と、を有する小便器本体１０（衛生設備機器本体の一例）を備えている。ボウル部１１には、当該ボウル部１１内に洗浄水を吐水する吐水部１４が設けられている。本実施形態の側壁部１３は、ユニット収容部１２の側方を完全に覆っているので、美観に優れる（デザイン性が高い）。
【００２５】
小便器本体１０の内部において、特に図２に示すように、不図示の給水管接続部から吐水部１４に至る給水経路２１、２２が設けられている。給水管接続部は、通常、水洗式小便器１が設置される壁の壁面ないし当該壁面近傍の床面に設置されている。
【００２６】
給水経路２１、２２の途中には、吐水部１４への洗浄水の供給及び供給停止のために作動するバルブユニット３２が設けられている。すなわち、本実施形態の給水経路２１、２２は、不図示の給水管接続部からバルブユニット３２までの一次側経路２１と、バルブユニット３２から吐水部１４までの二次側経路２２と、を有している。一次側経路２１は、例えば樹脂製のホースからなり、図２の状態でバルブユニット３２側が左右方向に配置されていて、バルブユニット３２と一次側経路２１との接続部に自在継手２５が設けられている。一方、二次側経路２２も、例えば樹脂製のホースからなるが、図２の状態でバルブユニット３２側が鉛直方向に配置されている。
【００２７】
バルブユニット３２には、当該バルブユニット３２の作動を制御する制御ユニット３１が電気的に接続されている。
【００２８】
図２乃至図５に示すように、本実施形態においては、ユニット収容部１２の底面が固定トレイ部４１と開閉トレイ部４２とによって規定されている。特に本実施形態においては、固定トレイ部４１の外周縁が小便器本体１０の側壁部１３に固定されていて、固定トレイ部４１の外周縁に対して内側の領域に（入れ子状に）、当該固定トレイ部４１に対して回動可能に、開閉トレイ部４２が取り付けられている。
【００２９】
特に図４及び図５に示すように、本実施形態の開閉トレイ部４２は、前方側領域Ｆが下向きに回動することで開放可能であって、且つ、当該前方側領域Ｆを上向きに戻すことで閉鎖可能であるように、固定トレイ部４１に対して回動可能に取り付けられている。
【００３０】
また、本実施形態では、バルブユニット３２が、開閉トレイ部４２上に取り付けられており、制御ユニット３１が、固定トレイ部４１上に取り付けられている。その他、本実施形態では、除菌水供給ユニット３３も開閉トレイ部４２上に取り付けられている。除菌水供給ユニット３３は、除菌水供給経路３４を介して、除菌水をボウル部１１内に供給するようになっている。
【００３１】
図３に示されているように、固定トレイ部４１の底面４１ｂの高さ、及び、開閉トレイ部４２の底面４２ｂの高さが、小便器本体１０の側壁部１３の底面１３ｂの高さと比較して、より高くなっている。また、本実施形態では、固定トレイ部４１と開閉トレイ部４２との間に、スリット４３が設けられている。
【００３２】
更に、本実施形態では、固定トレイ部４１の外周縁部に、上方に向けて突出する堰部４１ｕが設けられており、開閉トレイ部４２の外周縁部に、略同様に上方に向けて突出する堰部４２ｕが設けられている。
【００３３】
次に、以上のような構成からなる本実施形態の作用について説明する。
【００３４】
前述の通り、本実施形態の水洗式小便器１においては、固定トレイ部４１の底面４１ｂの高さ及び開閉トレイ部４２の底面４２ｂの高さが、小便器本体１０の側壁部１３の底面１３ｂの高さと比較してより高くなっている。従って、施工時等に当該水洗式小便器１を床面等に置いた際において、各トレイ部４１、４２に不所望の負荷がかかって破損してしまうこと等が効果的に防止される。
【００３５】
また、本実施形態の水洗式小便器１においては、開閉トレイ部４２が、固定トレイ部４１の外周縁に対して内側の領域に取り付けられており、開閉トレイ部４２が回動可能に取り付けられた固定トレイ部４１が小便器本体１０の側壁部１３に固定されているため、製造時において、固定トレイ部４１と開閉トレイ部４２とを一体的に取り扱うことができ、作業が容易である。
【００３６】
そして、通常の使用時においては、固定トレイ部４１の底面４１ｂの高さ及び開閉トレイ部４２の底面４２ｂの高さが小便器本体１０の側壁部１３の底面１３ｂの高さと比較してより高くなっていることにより、ボウル部１１の溢れ水等が小便器本体１０を伝ってきた際において、当該溢れ水等が各トレイ部４１、４２の内部に浸入することが効果的に抑制される。
【００３７】
また、本実施形態の水洗式小便器１においては、固定トレイ部４１の外周縁部に上方に向けて突出する堰部４１ｕが設けられ、開閉トレイ部４２の外周縁部に略同様に上方に向けて突出する堰部４２ｕが設けられていることによっても、ボウル部１１の溢れ水等が小便器本体１０を伝ってきた際において、当該溢れ水等が各トレイ部４１、４２の内部に浸入することが効果的に抑制される。
【００３８】
また、本実施形態の水洗式小便器１においては、固定トレイ部４１と開閉トレイ部４２との間にスリット４３が設けられているため、各トレイ部４１、４２の内部にもし水が浸入してしまった場合であっても、当該水はスリット４３を介して排出され得て、各トレイ部４１、４２の内部に溜まってしまうことが抑制される。
【００３９】
次に、メンテナンス作業時においては、開閉トレイ部４２の前方側領域Ｆが下向きに回動することで開放可能、且つ、上向きに戻すことで閉鎖可能であることにより、ユニット収容部１２内へのアクセスが容易である。
【００４０】
特に、本実施形態によれば、バルブユニット３２が開閉トレイ部４２上に取り付けられ、制御ユニット３１が固定トレイ部４１上に取り付けられていることにより、メンテナンス頻度が比較的高いバルブユニット３２のメンテナンス作業において有利である一方、メンテナンス頻度が比較的低い制御ユニット４１の水濡れリスクを回避する上で有利である。
【００４１】
また、本実施形態によれば、バルブユニット３２と一次側経路２１との接続部に自在継手２５が設けられているため、開閉トレイ部４１の回動動作にも拘わらず、給水経路の一次側経路２１においてキンク（ねじれ）が発生することを回避できる（図５参照）。（なお、本実施形態の配置例では、給水経路の二次側経路２２の方は、図２の状態で少し長さに余裕を持たせておくだけで、図５の状態に対応することができる。）
【００４２】
以上の通り、本実施形態によれば、開閉トレイ部４２が、前方側領域Ｆが下向きに回動することで開放可能且つ上向きに戻すことで閉鎖可能に取り付けられていることにより、ユニット収容部１２内へのアクセスが容易であり、且つ、制御ユニット３１の水濡れを引き起こす可能性も低い。
【００４３】
また、開閉トレイ部４２が固定トレイ部４１に回動可能に取り付けられており、開閉トレイ部４２が回動可能に取り付けられた固定トレイ部４１が小便器本体１０の側壁部１３に固定されているため、固定トレイ部４１と開閉トレイ部４２とを一体的に取り扱うことができ、製造、取付、修理、交換等の各種作業が容易である。
【００４４】
また、バルブユニット３２が開閉トレイ部４２上に取り付けられ、制御ユニット３１が固定トレイ部４１上に取り付けられているため、メンテナンス頻度が比較的高いバルブユニット３２のメンテナンス作業において有利である一方、メンテナンス頻度が比較的低い制御ユニット４１の水濡れリスクを回避する上で有利である。
【００４５】
また、バルブユニット３２と一次側経路２１との接続部に自在継手２５が設けられているため、開閉トレイ部４１の回動動作にも拘わらず、給水経路の一次側経路２１においてキンク（ねじれ）が発生することを回避できる。もっとも、自在継手は、バルブユニット３２と一次側経路２１との接続部の代わりに、あるいはこれに加えて、バルブユニット３２と二次側経路２２との接続部に設けられてもよい。
【００４６】
また、固定トレイ部４１の底面４１ｂの高さ及び開閉トレイ部４２の底面４２ｂの高さが小便器本体１０の側壁部１３の底面１３ｂの高さと比較してより高くなっていることにより、ボウル部１１の溢れ水等が小便器本体１０を伝ってきた際において、当該溢れ水等が各トレイ部４１、４２の内部に浸入することが効果的に抑制される。この高さのギャップは、例えば１０ｍｍ〜２０ｍｍ程度が好ましい。但し、少なくとも本願出願の時点では、面一の状態（ギャップが０の状態）を排除することは意図していない。
【００４７】
また、固定トレイ部４１の外周縁部に上方に向けて突出する堰部４１ｕが設けられ、開閉トレイ部４２の外周縁部に略同様に上方に向けて突出する堰部４２ｕが設けられていることによっても、ボウル部１１の溢れ水等が小便器本体１０を伝ってきた際において、当該溢れ水等が各トレイ部４１、４２の内部に浸入することが効果的に抑制される。各堰部４１ｕ、４２ｕの高さは、例えば５ｍｍ〜１０ｍｍ程度が好ましい。
【００４８】
また、固定トレイ部４１と開閉トレイ部４２との間にスリット４３が設けられているため、各トレイ部４１、４２の内部にもし水が浸入してしまった場合であっても、当該水はスリット４３を介して排出され得て、各トレイ部４１、４２の内部に溜まってしまうことが抑制される。もっとも、スリットは、固定トレイ部４１において、及び／または、開閉トレイ部４２において、設けられていてもよい。スリットの形状ないし配置態様は、公知の種々のものが採用され得る。
【００４９】
続いて、図６は、本実施形態の水洗式小便器１の内部の斜視図であり、図７は、制御ユニット３１が固定トレイ部４１から下方に引き抜かれる途中の途中状態にある時の図６に略対応する斜視図であり、図８は、制御ユニット３１及び固定トレイ部４１の拡大断面図である。
【００５０】
図６乃至図８に示すように、本実施形態の水洗式小便器１において、制御ユニット３１は、開閉トレイ部４２とは別体であって、固定トレイ部４１に対して着脱可能に固定されている。具体的には、制御ユニット３１は、略直方体状の形状を有しており、固定トレイ部４１には、制御ユニット３１を覆って当該制御ユニット３１の被水を防止する被水防止カバー４１ｃが設けられていて、特に図８に示すように、制御ユニット３１の外形輪郭の少なくとも一部が、被水防止カバー４１ｃの内壁面の少なくとも一部に対して上下方向に摺動移動可能となっている。そして、制御ユニット３１は、固定トレイ部４１の被水防止カバー４１ｃから下方に引き抜かれることで、当該固定トレイ部４１から取り外し可能となっている。
【００５１】
ここで、本実施形態の制御ユニット３１には、当該制御ユニット３１が固定トレイ部４１から下方に引き抜かれる途中の途中状態を保持可能な保持手段が設けられている。本実施形態の保持手段は、略直方体状の制御ユニット３１から側方に突出した爪状部材３１ｈによって構成されている。このような爪状部材３１ｈ（保持手段）が、固定トレイ部４１の対応するストッパ部４１ｓに当接することで、制御ユニット３１は、固定トレイ部４１から下方に引き抜かれる途中の途中状態に保持されるようになっている。
【００５２】
また、当該爪状部材３１ｈ（保持手段）は、作業者の指等によって押圧されることによって略直方体状の制御ユニット３１の内部へと退没できるように、例えばバネ機構を介して支持されている。このような押圧操作による爪状部材３１ｈ(保持手段)の退没動作により、爪状部材３１ｈ（保持手段）とストッパ部４１ｓとの当接状態を解除することができ、作業者は、制御ユニット３１を固定トレイ部４１から完全に下方に引き抜くことができる。また、作業者は、同様の押圧操作による爪状部材３１ｈ(保持手段)の退没動作を介して、制御ユニット３１（交換のための新たな（別個の）制御ユニットでもよい）を固定トレイ部４１の被水防止カバー４１ｃ内に戻すことができる。
【００５３】
以上のように、本実施形態の水洗式小便器１によれば、制御ユニット３１が固定トレイ部４１に対して着脱可能（取り外し可能）であることにより、制御ユニット３１のメンテナンス作業を容易に行うことができる。また、制御ユニット３１が開閉トレイ部４１とは別体であることにより、開閉トレイ４１の開閉動作に伴う制御ユニット３１の水漏れリスクも回避されている。
【００５４】
また、爪状部材３１ｈ（保持手段）が設けられていることによって、制御ユニット３１が固定トレイ部４１から一気に取り外されることが抑制されている。これにより、制御ユニット３１が取り外される際の勢いで当該制御ユニット３１に接続されているハーネスが断線してしまうことが効果的に回避されている。
【００５５】
なお、制御ユニット３１の下方部に設けられたＤＩＰＳＷ（ディップスイッチ）を操作するような作業は、制御ユニット３１を固定トレイ部４１から完全に取り外すことなく、爪状部材３１ｈ（保持手段）とストッパ部４１ｓとが当接している状態において行うことも可能である。
【００５６】
また、固定トレイ部４１には、制御ユニット３１を覆って当該制御ユニット３１の被水を防止する被水防止カバー４１ｃが設けられているため、制御ユニット３１の水漏れリスクが効果的に回避されている。
【符号の説明】
【００５７】
１    水洗式小便器
１０    小便器本体
１１    ボウル部
１２    ユニット収容部
１３    側壁部
１３ｂ  底面
１４    吐水部
２１    給水経路（一次側経路）
２２    給水経路（二次側経路）
２５    自在継手
３１    制御ユニット
３１ｈ  爪状部材（保持手段）
３２    バルブユニット
３３    除菌水供給ユニット
３４    除菌水供給経路
４１    固定トレイ部
４１ｂ  底面
４１ｕ  堰
４１ｃ  被水防止カバー
４１ｓ  ストッパ部
４２    開閉トレイ部
４２ｂ  底面
４２ｕ  堰
４３    スリット
【図１】
0006764567.tif 000002
【図２】
0006764567.tif 000003
【図３】
0006764567.tif 000004
【図４】
0006764567.tif 000005
【図５】
0006764567.tif 000006
【図６】
0006764567.tif 000007
【図７】
0006764567.tif 000008
【図８】
0006764567.tif 000009